(57)【要約】【課題】コネクタ周辺の空間に関係なく簡単に被接続部材にコネクタの着脱を行う。【解決手段】ＬＣコネクタ１００の装着では、作業者がケース部材６０を挿入方向に押し込むと、クリップ部材４０を介してコネクタ本体１０が挿入方向に移動する。これにより、コネクタ本体１０のラッチ部２２をアダプタにロックできる。ＬＣコネクタ１００の取り外しでは、作業者がケース部材６０を離脱方向に引っ張ることにより、ワイヤ部材９０がケース部材６０に引っ張られてスライドし、ラッチ部２２に係合されたワイヤ部材９０がラッチ部２２をコネクタ本体１０側に押圧する。これにより、コネクタ本体１０のラッチ部２２をアダプタからロック解除できる。【選択図】図１
2009222932.tif 000002
【特許請求の範囲】
【請求項１】
被接続部材に着脱可能に取り付けられるラッチ部を有したコネクタ本体と、
前記コネクタ本体に固定される固定部材と、
前記コネクタ本体に前記固定部材を介して摺動可能に取り付けられると共に、前記コネクタ本体の前記ラッチ部を露出させた状態で前記コネクタ本体を収容する収容部材と、
前記コネクタ本体の前記ラッチ部を押圧すると共に前記収容部材に係止されるワイヤ部材とを備え、
前記固定部材は、前記ワイヤ部材を摺動可能に支持するための支持部を有し、
前記収容部材を挿入方向に移動させるとき、前記収容部材が前記固定部材に押し当てられて前記固定部材が前記挿入方向に付勢されることにより、前記コネクタ本体の前記ラッチ部が前記被接続部材にロックされ、
前記被接続部材に装着された前記コネクタ本体を前記挿入方向と反対側の離脱方向に移動させるとき、前記ワイヤ部材が、前記コネクタ本体の移動に伴って離脱方向に付勢されて、前記固定部材の前記支持部の外周面に沿ってスライドすると共に、このスライドに伴って前記ラッチ部に係合される前記ワイヤ部材が、前記コネクタ本体の前記ラッチ部を前記コネクタ本体に接近する方向に押圧することにより、前記コネクタ本体の前記ラッチ部が前記被接続部材からロック解除されるコネクタ。
【請求項２】
前記ラッチ部は、一端部が前記コネクタ本体に取り付けられ、他端部が前記コネクタ本体から離れる方向に延在し、
前記ラッチ部の他端部には係合部が設けられ、当該係合部には前記ワイヤ部材が係合される
請求項１に記載のコネクタ。
【請求項３】
前記収容部材の長手方方向の長さは、前記コネクタ本体の長手方向の長さよりも長い
請求項２に記載のコネクタ。
【請求項４】
前記収容部材の配線が挿入される挿入口の内側には、前記配線の挿入を案内するための案内部が設けられ、当該案内部は内側方向に向かって湾曲している
請求項３に記載のコネクタ。
【請求項５】
前記固定部材は、
前記収容部材が前記挿入方向に移動したとき前記収容部材に係合することで前記挿入方向に付勢される第１の突起部と、
前記収容部材が前記離脱方向に移動したとき前記収容部材に係合することで前記離脱方向に付勢される第２の突起部とを有し、
前記コネクタ本体は、
前記第１の突起部が係合される係合部と、
前記第２の突起部を前記挿入方向および前記離脱方向に案内するガイド孔と、
前記ワイヤ部材が係止される係止孔とを有する
請求項２に記載のコネクタ。
【発明の詳細な説明】
【技術分野】
【０００１】
本発明は、コネクタに関する。詳細には、コネクタを被接続部材から取り外す場合、作業者は収容部材を離脱方向に引っ張ることにより、ワイヤ部材が収容部材に引っ張られてスライドし、ワイヤ部材がラッチ部をコネクタ本体側に押圧することで、コネクタ本体のラッチ部を被接続部材からロック解除するものである。
【背景技術】
【０００２】
近年、通信ネットワークでは、広帯域性、低損失性、細径性等に優れた光ファイバ通信が広く利用されている。この光ファイバ通信では、光ケーブル相互間又は光ケーブルおよび電子機器間を接続する部品として光コネクタ付き光ファイバケーブルが用いられており、光コネクタを光アダプタに装着することでデータの送受信が行われる。
【０００３】
光コネクタとしては、例えば、ハウジングの側面に片持ちばねからなるラッチ部が取り付けられた光コネクタが提案されている（特許文献１参照）。このように構成することで、光コネクタの装着時には、ラッチ部がアダプタに係合するので光ファイバのアダプタからの脱落を防止できる。一方、光コネクタの取り外し時には、ラッチ部を指や治具等で押すことによりアダプタからロック解除した後、光コネクタをアダプタから引き抜くことで光コネクタを光アダプタから簡単に取り外すことができる。
【０００４】
また、光コネクタの他の構成として、ハウジング内に軸方向移動自在に設けられたラッチ解除部材を具備した光コネクタが提案されている（特許文献２参照）。この光コネクタによれば、ハウジングをアダプタ側に移動することにより光コネクタプラグをアダプタに挿入してラッチ部をアダプタに係合することができる。一方、ハウジングを逆方向に移動することにより、ラッチ解除部材がハウジングに対して前方側に相対移動してラッチ部の後端部を押圧してアダプタとの係合を解除できる。
【０００５】
【特許文献１】特開平８−３２７８５５号公報
【特許文献２】特開２００１−１４１９６１号公報
【発明の開示】
【発明が解決しようとする課題】
【０００６】
しかしながら、上記特許文献１および２に開示される光ファイバでは以下に示す問題がある。
（１）上記特許文献１に開示される光ファイバでは、作業者が光コネクタのラッチ部を直接操作して押し込まなければならない。そのため、例えば光コネクタを装着する光アダプタ周辺に十分な作業空間がない場合には、作業者がラッチ部を直接押すことができず、光コネクタの着脱作業が行えない場合もある。
（２）上記特許文献２に開示される光ファイバでは、光ファイバの外周部に着脱補助機構を設けているため、光コネクタ全体の取付面積が大きくなってしまう。そのため、光アダプタ周辺に十分な作業空間がない場合には、着脱補助機構が障害となってしまい、光コネクタをアダプタ等に装着できない場合もある。
【０００７】
そこで、本発明は、上記課題に鑑みてなされたものであり、その目的は、コネクタ周辺の空間に関係なく簡単に被接続部材に着脱を行うことが可能なコネクタを提供することにある。
【課題を解決するための手段】
【０００８】
本発明は、上記課題を解決するために、本発明に係るコネクタは、被接続部材に着脱可能に取り付けられるラッチ部を有したコネクタ本体と、コネクタ本体に固定される固定部材と、コネクタ本体に固定部材を介して摺動可能に取り付けられると共に、コネクタ本体のラッチ部を露出させた状態でコネクタ本体を収容する収容部材と、コネクタ本体のラッチ部を押圧すると共に収容部材に係止されるワイヤ部材とを備え、固定部材は、ワイヤ部材を摺動可能に支持するための支持部を有し、収容部材を挿入方向に移動させるとき、収容部材が固定部材に押し当てられて固定部材が挿入方向に付勢されることにより、コネクタ本体のラッチ部が被接続部材にロックされ、被接続部材に装着されたコネクタ本体を挿入方向と反対側の離脱方向に移動させるとき、ワイヤ部材が、コネクタ本体の移動に伴って離脱方向に付勢されて、固定部材の支持部の外周面に沿ってスライドすると共に、このスライドに伴ってラッチ部に係合されるワイヤ部材が、コネクタ本体のラッチ部をコネクタ本体に接近する方向に押圧することにより、コネクタ本体のラッチ部が被接続部材からロック解除されることを特徴とする。
【０００９】
本発明のコネクタにおいて、コネクタを被接続部材に装着する場合、作業者は収容部材を挿入方向に押し込むことにより、固定部材を介してコネクタ本体が挿入方向に移動する。これにより、コネクタ本体のラッチ部を被接続部材にロックできる。
【００１０】
また、コネクタを被接続部材から取り外す場合、作業者は収容部材を離脱方向に引っ張ることにより、ワイヤ部材が収容部材に引っ張られてスライドし、ラッチ部に係合されたワイヤ部材がラッチ部をコネクタ本体側に押圧する。これにより、コネクタ本体のラッチ部を被接続部材からロック解除できる。
【００１１】
したがって、コネクタを着脱するための作業空間が狭いような場合であっても、ラッチ部を直接操作することなく簡単にコネクタを被接続部材から取り外すことができる。
【発明の効果】
【００１２】
本発明によれば、作業者が収容部材を離脱方向に引っ張ったとき、ワイヤ部材が収容部材に引っ張られてスライドし、これに伴いワイヤ部材がロック部を押すことにより、コネクタ本体のラッチ部が被接続部材からロック解除される。これにより、コネクタ本体のラッチ部を押す作業空間がない場合や、ラッチ部まで指や治具が届かないような場合でも、作業者がラッチ部を直接操作しなくてもコネクタの着脱を行うことができるため、作業性の向上を図ることができる。
【発明を実施するための最良の形態】
【００１３】
［第１の実施の形態］
以下、本発明の実施の形態について図面を参照して説明する。  
＜ＬＣコネクタ１００の構成＞
図１は、本発明の一実施形態に係るＬＣコネクタ（光コネクタ）１００の構成を示す図である。図２は、ＬＣコネクタ１００の構成例を示す断面図である。図３は、ＬＣコネクタ１００の構成例を示す分解斜視図である。
【００１４】
ＬＣコネクタ１００は、コネクタの一例を構成し、例えば２Ｇｂｉｔｓ／ｓの光ファイバケーブルに用いられるものである。本例のＬＣコネクタ１００は、２個のＬＣコネクタを１組で構成したデュプレックス型である。そのため、以下の説明では、一方のＬＣコネクタ１００について説明する。ＬＣコネクタ１００は、図１〜図３に示すように、コネクタ本体１０と、固定部材の一例を構成するクリップ部材４０と、収容部材の一例を構成するケース部材６０と、ワイヤ部材９０とを備えている。
【００１５】
コネクタ本体１０は、図２および図３に示すように、ハウジング１２と、ブーツ１４と、ラッチ部２２とを有している。ハウジング１２は、細長の略円筒状をなし、例えばポリエーテルイミド（ＰＥＩ）等の比較的強度の高いプラスチックから構成される。ハウジング１２の外側の側面１２ａには、クリップ部材４０の前端を固定する突起部３０と、クリップ部材４０の後述するストッパ４６が係合される係合凹部３２が設けられる。ブーツ１４は、前端から後端に向かって外径が小さくなるように形成された細長の円筒体であって、ハウジング１２の後端部に取り付けられる。
【００１６】
ラッチ部２２は、コネクタ本体１０を後述する被接続部材の一例を構成するアダプタ２００にロックしたり、コネクタ本体１０をアダプタ２００からロック解除するものである。ラッチ部２２は、その先端部がハウジング１２上面前端部に固着されると共に後端部が自由端とされ、コネクタ本体１０上面から離れる方向に傾斜して延びており、いわゆる片持ちばねの構造を有する。ラッチ部２２の後端部には、後述するワイヤ部材９０を係合するためのラッチ係合部２４が設けられる。ラッチ係合部２４は、後述する押圧部９０ａの厚み分だけラッチ部２２上面から外方向に突出している。ラッチ部２２の長手方向の略中央部であって幅方向の両端部のそれぞれには、アダプタ２００のロック部２０４（図６参照）に押し当てられることでラッチ部２２をコネクタ本体１０側に押圧させるための突起部２６が設けられる。
【００１７】
コネクタ本体１０の後端部には、光ファイバ２０の挿入を円滑に案内すると共に光ファイバ２０の折れ曲がりを防止するための案内部３４（破線部）が設けられる。案内部３４は、内側方向に向かって突出するようにして湾曲している。
【００１８】
またコネクタ本体１０は、図２に示すように、フェルール１６と、圧縮ばね１８と、ストッパ３６とを有している。フェルール１６は、ハウジング１２内の先端部に配設され、その先端部がコネクタ本体１０の先端部から若干突出している。圧縮ばね１８は、フェルール１６の後端部に取り付けられ、フェルール１６を弾性付勢している。ストッパ３６は、圧縮ばね１８の後端部に設けられ、圧縮ばね１８が離脱方向に移動しないように支持している。またハウジング１２およびブーツ１４内部には、光ファイバ２０が挿通されている。
【００１９】
図４（Ａ）はクリップ部材４０の構成を示す正面図であり、図４（Ｂ）はクリップ部材４０の上面側の構成を示す斜視図であり、図４（Ｃ）はクリップ部材４０の底面側の構成を示す斜視図である。
【００２０】
クリップ部材４０は、コネクタ本体１０を挿入方向および離脱方向に移動させるために用いられる部材であり、コネクタ本体１０の後端部に取り付け、固定される。クリップ部材４０は、互いに対向かつ所定の間隔を隔てて配設された上面部４０ａおよび底面部４０ｂと、上面部４０ａおよび底面部４０ｂの略中央に立設された仕切り部４０ｃとから構成される。本例では、上面部４０ａ、底面部４０ｂおよび仕切り部４０ｃは一体に形成される。上面部４０ａの両端部のそれぞれには、内側（底面部４０ｂに対向する）方向に折り曲げられた固定部４００ａが設けられる。同様に、底面部４０ｂの両端部のそれぞれには、内側（上面部４０ａに対向する）方向に折り曲げられた固定部４００ｂが設けられる。
【００２１】
クリップ部材４０の上面部４０ａ外面には、ケース部材６０の切欠部７２に係合することでケース部材６０から挿入方向への付勢力を得るための第１の突起部５０が設けられる。第１の突起部５０は、細長の柱状をなし、その長手方向が挿入方向に平行になるようにして上面部４０ａに配設される。本例では、２個の第１の突起部５０が設けられ、所定間隔を隔ててケース部材６０の切欠部７２に対応した位置に設けられる。
【００２２】
クリップ部材４０の底面部４０ｂ外面には、ケース部材６０が離脱方向に移動したときにケース部材６０のガイド孔７４に係合することでケース部材６０から離脱方向への付勢力を得るための第２の突起部５２が設けられる。第２の突起部５２は、円柱状をなし、本例では２個の第２の突起部５２が所定間隔を隔ててケース部材６０のガイド孔７４に対応した位置に設けられる。
【００２３】
クリップ部材４０の底面部４０ｂ側の固定部４００ｂ側面には、ワイヤ部材９０をスライド可能に支持するための支持部５４が設けられる。支持部５４は円弧状に湾曲した外周面５４ａを有し、この外周面５４ａの接線方向に沿ってワイヤ部材９０がスライドする。
【００２４】
クリップ部材４０の仕切り部４０ｃの側面には、コネクタ本体１０を係止するためのストッパ４７が設けられる。同様に、固定部４００ｂの内面には、コネクタ本体１０を係止するためのストッパ４６が設けられる。ストッパ４６，４７は互いに対向した位置に設けられる。デュプレックス型の２個のＬＣコネクタ１００は、仕切り部４０ｃを介して固定部４００ａ，４００ｂのそれぞれに係止されて、クリップ部材４０に固定される。
【００２５】
図２および図３に戻り、ケース部材６０は、先端部および後端部が開口された細長の四角筒状をなし、コネクタ本体１０のラッチ部２２を露出させるようにしてデュプレックス型のＬＣコネクタ１００を収容する。ケース部材６０の長手方向の長さＤ２は、コネクタ本体１０の長手方向の長さＤ１よりも長く選定される。ケース部材６０上面の先端部には、クリップ部材４０の第１の突起部５０の形状に対応して略Ｌ字状に切り欠かれた切欠部７２が設けられる。切欠部７２は、ケース部材６０を挿入方向に移動させたときクリップ部材４０の第１の突起部５０が切欠部７２の壁面に係合することで、クリップ部材４０およびこれに固定されたコネクタ本体１０を挿入方向に付勢するものである。
【００２６】
ケース部材６０底面の先端部には、クリップ部材４０の第２の突起部５２をコネクタ本体１０の長手方向に沿って摺動自在に案内するためのガイド孔７４が設けられる。ガイド孔７４はクリップ部材４０の第２の突起部５２に対応した位置に設けられる。ガイド孔７４の長さＤ３は、後述するケース部材６０の係止孔７８の長さＤ４と略同一に選定される。したがって、クリップ部材４０はガイド孔７４の長さＤ３の可動範囲内で摺動する。ガイド孔７４の先端側にはガイド孔７４に沿って摺動するクリップ部材４０の挿入方向への移動を規制するためのストッパ８２が設けられる。
【００２７】
ケース部材６０底面の幅方向の両端部のそれぞれには、ワイヤ部材９０を挿通するための挿通孔７６が形成される。ケース部材６０の底面のワイヤ部材９０の係止部９０ｃに対応した位置には、ワイヤ部材９０の係止部９０ｃを係止するための係止孔７８が穿設される。係止孔７８の長手方向の長さＤ４は、上述したようにガイド孔７４の長手方向の長さＤ３と略同一に選定される。ケース部材６０の側面後部には、作業者がケース部材６０を把持するための把持部８０が設けられる。把持部８０は、コネクタ本体１０の後端部よりもさらに後方の離れた位置に設けられる。把持部８０には、作業者が滑らないように凹凸加工等の処理が施されている。
【００２８】
ワイヤ部材９０は、ケース部材６０の離脱方向の移動に連動してラッチ部２２を押圧することでラッチ部２２のアダプタ２００からのロックを解除するものである。ワイヤ部材９０は、Ｕ字折曲形状をなし、押圧部９０ａと、スライド部９０ｂと、係止部９０ｃとから構成される。押圧部９０ａは、隣接するラッチ部２２，２２間に跨って延在し、ラッチ部２２のラッチ係合部２４に係合される。押圧部９０ａは、ラッチ部２２の上端から突出しない程度の高さを有するため、ワイヤ部材９０をコネクタ本体１０に取り付けた場合でもＬＣコネクタ１００の容積が大きくなることを防止できる。スライド部９０ｂは、押圧部９０ａの両端部のそれぞれからクリップ部材４０の支持部５４に向かって傾斜して延在すると共に、支持部５４の外周面５４ａに摺動可能に当接している。係止部９０ｃは、スライド部９０ｂの端部からケース部材６０の底面に沿って後方に延在し、その端部がフック状に折り曲げられてケース部材６０の係止孔７８に係止される。
【００２９】
＜ＬＣコネクタ１００の着脱動作＞
次に、上述したＬＣコネクタ１００の着脱動作の一例について説明する。本例では、アダプタ２００方向をＬＣコネクタ１００の挿入方向Ｈ１とし、その反対方向をＬＣコネクタ１００の離脱方向Ｈ２とする。
【００３０】
まず、ＬＣコネクタ１００をアダプタ２００に装着するときの動作について説明する。図５、図６（Ａ）〜（Ｃ）および図７は、ＬＣコネクタ１００をアダプタ２００に装着するときの動作例を示す図である。なお、以下の図では、各部材の動作を分かり易くするために、ＬＣコネクタ１００の断面箇所を便宜上異ならせている。
【００３１】
図５に示すように、作業者はケース部材６０の把持部８０を把持して、ＬＣコネクタ１００の先端部をアダプタ２００の挿入口に位置合せし、ケース部材６０を挿入方向Ｈ１に移動させてＬＣコネクタ１００の先端部をアダプタ２００の挿入口２０２に挿し込む。
【００３２】
ケース部材６０を押し込んで行くと、図６（Ａ）に示すように、ケース部材６０の切欠部７２の壁面がクリップ部材４０の第１の突起部５０に押し当てられ、第１の突起部５０が挿入方向Ｈ１に付勢される。これにより、クリップ部材４０およびクリップ部材４０に固定されたコネクタ本体１０が挿入方向Ｈ１に押し込まれる。
【００３３】
コネクタ本体１０が挿入方向Ｈ１に押し込まれていくと、図６（Ｂ）に示すように、コネクタ本体１０のラッチ部２２がアダプタ２００のロック部２０４によってコネクタ本体１０側に押し付けられて撓む。ラッチ部２２が撓んだ状態でロック部２０４を通過すると、図６（Ｃ）に示すように、ラッチ部２２は自身の弾性力（復帰力）により元の位置に復帰する。これにより、図７に示すように、ラッチ部２２がアダプタ２００のロック部２０４に引っ掛かり、コネクタ本体１０がアダプタ２００にロックされる。
【００３４】
次に、ＬＣコネクタ１００をアダプタ２００から取り外すときの動作について説明する。図８（Ａ）〜（Ｃ）および図９（Ａ）〜（Ｃ）は、ＬＣコネクタ１００をアダプタ２００から取り外すときの動作例を示す図である。
【００３５】
作業者は、図７に示したＬＣコネクタ１００の装着状態から、８（Ａ）に示すように、ケース部材６０の把持部８０を把持してケース部材６０を離脱方向Ｈ２に引っ張ると、コネクタ本体１０はアダプタ２００に固定されているので、ケース部材６０だけが離脱方向Ｈ２に移動する。ケース部材６０をさらに引っ張ると、図８（Ｂ）に示すように、ケース部材６０の係止孔７８の前方壁面がワイヤ部材９０の係止部９０ｃに押し当たり、ワイヤ部材９０が離脱方向Ｈ２に引っ張られる。離脱方向Ｈ２に引っ張られたワイヤ部材９０は、図８（Ｃ）に示すように、クリップ部材４０の支持部５４の外周面５４ａの接線方向に沿ってスライドする。つまり、ワイヤ部材９０は、係止部９０ｃと係止孔７８との接点Ｏを中心として反時計周りに回転する。これに伴い、ワイヤ部材９０の押圧部９０ａによってコネクタ本体１０のラッチ部２２がコネクタ本体１０側に押圧されて撓み、ラッチ部２２がコネクタ本体１０に接近する。
【００３６】
図９（Ａ）に示すように、ラッチ部２２がコネクタ本体１０に接触する位置まで撓むと、ラッチ部２２がアダプタ２００のロック部２０４を通過し、コネクタ本体１０とアダプタ２００とのロックが解除される。ロックが解除されると、図９（Ｂ）に示すように、ケース部材６０のガイド孔７４の前方内壁面がクリップ部材４０の第２の突起部５２に押し当たり、第２の突起部５２が離脱方向Ｈ２に付勢される。これにより、クリップ部材４０およびこれに固定されるコネクタ本体１０が離脱方向Ｈ２に移動し、ワイヤ部材９０のスライド部９０ｂがクリップ部材４０の支持部５４の外周面５４ａの接線方向に沿ってスライドする。つまり、ワイヤ部材９０は、接点Ｏを中心として弾性力により時計周りに回転し、図９（Ｃ）に示すように元の位置に戻る。これに伴い、コネクタ本体１０のラッチ部２２も元の位置に復帰する。このような動作により、コネクタ本体１０をアダプタ２００の挿入口２０２から引き抜くことができる。
【００３７】
以上説明したように、本実施の形態では、ＬＣコネクタ１００をアダプタ２００に装着するとき、作業者がケース部材６０を挿入方向Ｈ１に押し込むことにより、クリップ部材４０を介してＬＣコネクタ１００本体が挿入方向Ｈ１に移動する。これにより、ＬＣコネクタ１００本体のラッチ部２２をアダプタ２００にロックすることができ、ＬＣコネクタ１００をアダプタ２００に装着することができる。
【００３８】
また、ＬＣコネクタ１００をアダプタ２００から取り外すとき、作業者がケース部材６０を離脱方向Ｈ２に引っ張ることにより、これに連動してワイヤ部材９０がケース部材６０に引っ張られてスライドし、ワイヤ部材９０の押圧部９０ａがロック部をＬＣコネクタ１００本体側に押圧する。これにより、ＬＣコネクタ１００本体のラッチ部２２をアダプタ２００からロック解除することができ、ＬＣコネクタ１００をアダプタ２００から取り外すことができる。
【００３９】
したがって、ＬＣコネクタ１００を着脱するための作業空間が狭い場合や指が届かないような場所であっても、作業者がＬＣコネクタ１００本体のラッチ部２２を直接操作しなくてもＬＣコネクタ１００の着脱を行うことができるため、簡単にＬＣコネクタ１００の着脱作業を行うことができ、作業性の向上を図ることができる。
【００４０】
また、ケース部材６０を離脱方向Ｈ２に引っ張るだけでラッチ部２２の自動的にロックを解除できるため、例えば、ラッチ部２２の押し込み量が不十分な状態でＬＣコネクタ１００を無理やり引き抜くこと（誤操作）による部品の破損等を防止できる。
【００４１】
また、ワイヤ部材９０は、ラッチ部２２のラッチ係合部２４にその上端からはみ出さないように係合されるため、ラッチ部２２が周辺部品と干渉することを回避しつつＬＣコネクタ１００の着脱を行うことができる。
【００４２】
また、ケース部材６０の長さＤ２は、コネクタ本体１０の長さＤ１よりも長く選定され、把持部８０はコネクタ本体１０の後端部から後方に離れた位置に設けられる。そのため、アダプタ２００付近まで指が届かない状況でも、アダプタ２００から離れた位置の把持部８０を把持して操作することで、ＬＣコネクタ１００の着脱を行うことができる。なお、ケース部材６０の形状はＬ字状やＺ字状で構成しても良い。これにより、ＬＣコネクタ１００と水平でなくかつアダプタ２００から離れた位置に把持部８０を設けることができ、アダプタ２００から離れた位置での操作を行うことができる。また、ケース部材６０に紐を取り付けることで、さらに離れた位置からでもＬＣコネクタ１００の着脱操作を行うようにしても良い。本例では、ケース部材６０を２個のＬＣコネクタ１００を収容可能な形状としたがこれに限定されることはなく、２個以上のＬＣコネクタ１００を収容可能な形状とすることもできる。これにより、複数セットのＬＣコネクタ１００の着脱操作を同時に行うことができる。
【００４３】
また、ＬＣコネクタ１００は、コネクタ本体１０、クリップ部材４０、ケース部材６０およびワイヤ部材９０が独立して組み合わされて構成されているため、使用状況に応じてＬＣコネクタ１００に上記部品を自由自在に着脱できる。また、各構成部品の寸法を変更することで、本発明の着脱機構を様々なラッチ部付きコネクタにも適用できる。
【００４４】
さらに、ケース部材６０には、案内部３４が設けられるため、着脱補助機能と光ファイバ２０の折れ曲がりを防止できる。また、光ファイバ２０には、最小曲率半径が指定されているので、それ以上の曲率を維持できる。
【００４５】
なお、本発明の技術範囲は、上述した実施形態に限定されるものではなく、本発明の趣旨を逸脱しない範囲において、上述した実施形態に種々の変更を加えたものを含む。
【００４６】
上記実施の形態では、本発明の着脱補助機構を光コネクタに適用した例について説明したが、光コネクタ以外のコネクタについても適用することができる。
【図面の簡単な説明】
【００４７】
【図１】本発明の一実施形態に係るＬＣコネクタの構成例を示す図である。
【図２】ＬＣコネクタの構成例を示す断面図である。
【図３】ＬＣコネクタの構成例を示す分解斜視図である。
【図４】クリップ部材の構成例を示す図である。
【図５】ＬＣコネクタを光アダプタに装着する前の状態を示す図である。
【図６】ＬＣコネクタの装着時の動作例を示す図である。
【図７】ＬＣコネクタを光アダプタに装着した状態を示す図である。
【図８】ＬＣコネクタを取り外すときの動作例を示す図である（その１）。
【図９】ＬＣコネクタを取り外すときの動作例を示す図である（その２）。
【符号の説明】
【００４８】
１０・・・コネクタ本体、２０・・・光ファイバ（配線）、２２・・・ラッチ部、２４・・・ラッチ係合部、２６・・・係合部、３４・・・案内部、４０・・・クリップ部材、５０・・・第１の突起部、５２・・・第２の突起部、５４・・・支持部、５４ａ・・・外周面、６０・・・ケース部材、７２・・・切欠部、７４・・・ガイド孔、７８・・・係止孔、８０・・・把持部、９０・・・ワイヤ部材、９０ａ・・・押圧部、９０ｂ・・・スライド部、９０ｃ・・・係止部、１００・・・コネクタ
【図１】
2009222932.tif 000003
【図２】
2009222932.tif 000004
【図３】
2009222932.tif 000005
【図４】
2009222932.tif 000006
【図５】
2009222932.tif 000007
【図６】
2009222932.tif 000008
【図７】
2009222932.tif 000009
【図８】
2009222932.tif 000010
【図９】
2009222932.tif 000011